(57)【要約】  電子文書の編集表示とバックステージ表示の間で遷移することが提供される。電子文書の編集表示を含むユーザーインターフェースが、コンピューター上で表示され得る。次に、このコンピューターが、その電子文書の編集表示からバックステージ表示に遷移するための入力を編集表示において受け取ることが可能である。バックステージ表示は、編集表示において表示されるデータに関連するメタ情報を含むことが可能である。次に、電子文書の編集表示からバックステージ表示への遷移が実行され得る。次に、メタ情報を含むバックステージ表示が、ユーザーインターフェース内に表示され得る。
2014517421.tif 000002
【特許請求の範囲】
【請求項１】
電子文書の編集表示とバックステージ表示の間で遷移するためのコンピューターによって実施される方法であって、
コンピューターにより、前記電子文書の前記編集表示を含むユーザーインターフェースを表示するステップと、
前記コンピューターにより、前記電子文書の前記編集表示から前記バックステージ表示に遷移するための入力を前記編集表示において受信し、前記バックステージ表示は、前記編集表示において表示されるデータに関連するメタ情報を含むステップと、
前記コンピューターにより、前記電子文書の前記編集表示から前記バックステージ表示に遷移するステップと、
前記コンピューターにより、前記メタ情報を含む前記バックステージ表示を前記ユーザーインターフェース内で表示するステップとを含むコンピューターによって実施される方法。
【請求項２】
前記コンピューターにより、前記電子文書の前記編集表示から前記バックステージ表示に遷移するステップは、前記ユーザーインターフェースの上で前記編集表示をスライドさせて、前記バックステージ表示の増大する部分をあらわにするステップを含む請求項１に記載の方法。
【請求項３】
前記コンピューターにより、前記電子文書の前記編集表示から前記バックステージ表示に遷移するステップは、前記編集表示を縮小して前記ユーザーインターフェース内のサムネイルにするステップを含む請求項１に記載の方法。
【請求項４】
前記コンピューターにより、前記メタ情報を含む前記バックステージ表示を前記ユーザーインターフェース内で表示するステップは、前記編集表示の前記サムネイル、および前記メタ情報を前記ユーザーインターフェース内で表示するステップを含む請求項３に記載の方法。
【請求項５】
前記編集表示を縮小して前記ユーザーインターフェース内のサムネイルにするステップは、前記編集表示の最大サイズ表示に関連するユーザーインターフェース要素をトリミングするステップを含む請求項３に記載の方法。
【請求項６】
前記コンピューターにより、前記メタ情報を含む前記バックステージ表示を前記ユーザーインターフェース内で表示するステップは、前記電子文書の前記編集表示の先端部を前記バックステージ表示内に表示するステップを含む請求項１に記載の方法。
【請求項７】
前記バックステージ表示内の前記電子文書の前記編集表示の前記先端部とのユーザー対話を検出するステップと、
前記ユーザーインターフェース内で表示するために前記電子文書の前記編集表示のさらなる部分をスライドさせて前記バックステージ表示の中に入れるステップと、
前記バックステージ表示内の前記電子文書の前記編集表示の前記先端部との前記ユーザー対話の完了を検出するステップと、
前記電子文書の前記編集表示の前記さらなる部分をスライドさせて、前記ユーザーインターフェース内の前記バックステージ表示から消すステップとをさらに含む請求項６に記載の方法。
【請求項８】
前記コンピューターにより、前記メタ情報を含む前記バックステージ表示を前記ユーザーインターフェース内で表示するステップは、前記ユーザーインターフェース内の前記バックステージ表示を複数のタブでポピュレートし、前記複数のタブのそれぞれは、異なるメタ情報に関連するステップを含む請求項１に記載の方法。
【発明の詳細な説明】
【背景技術】
【０００１】
[0001]電子文書の作成および編集の際に利用される一部のコンピューターアプリケーションプログラムは、電子文書に関連するファイル情報、印刷情報、および共有情報などのメタ情報を提示するための「バックステージ表示（backstage view）」フィーチャーを組み込む。例えば、ワードプロセッシングアプリケーションは、編集画面上で文書を編集しているユーザーが、ツールバーにおけるボタンをクリックして、編集中の文書についてのファイルメタ情報（例えば、ファイルサイズ、ファイル作成データなど）を提示する「バックステージ」画面に切り替えることを可能にする機能を含むことが可能である。しかし、前述した「バックステージ」表示機能に関連する１つの欠点は、「バックステージ」画面が、ユーザーが現在、見ている画面とは完全に異なることである。このため、ワードプロセッシング文書編集画面に或る段落をタイプ入力しているユーザーに、文書メタ情報を示す全く異なる画面が突然に提示される可能性がある。その結果、表示（すなわち、編集表示と「バックステージ」表示）の間のこの突然の遷移が、前に表示されていた画面上で編集されている電子文書に対するこのメタ情報の関係についてユーザーの混乱を生じさせる可能性がある。これらの、およびその他の考慮に関連して本発明の様々な実施形態が作成された。
【発明の概要】
【課題を解決するための手段】
【０００２】
[0002]この概要は、詳細な説明において後段でさらに説明される選定された概念を簡略化された形態で概説するように与えられる。この概要は、主張される主題の重要な特徴、または不可欠な特徴を特定することは意図しておらず、主張される主題の範囲を確定する助けとなることも意図していない。
【０００３】
[0003]電子文書の編集表示とバックステージ表示の間で遷移するための実施形態が提供される。電子文書の編集表示を含むユーザーインターフェースが、コンピューター上で表示され得る。次に、このコンピューターが、その電子文書の編集表示からバックステージ表示に遷移するための入力を編集表示において受け取ることが可能である。バックステージ表示は、編集表示において表示されるデータに関連するメタ情報を含むことが可能である。次に、電子文書の編集表示からバックステージ表示への遷移が実行され得る。次に、メタ情報を含むバックステージ表示が、ユーザーインターフェース内に表示され得る。
【０００４】
[0004]以上、およびその他の特徴および利点は、後段の詳細な説明を読むこと、および関連する図面の精査することで明白となろう。前述の一般的な説明と後段の詳細な説明はともに、単に例示的であり、主張される本発明を限定するものではないことを理解されたい。
【図面の簡単な説明】
【０００５】
【図１】[0005]或る実施形態による、電子文書の編集表示とバックステージ表示の間で遷移するために利用され得るコンピューティング環境を示すブロック図である。
【図２】[0006]或る実施形態による、電子文書の編集表示を示すユーザーインターフェースのコンピューター画面表示である。
【図３】[0007]或る実施形態による、電子文書の編集表示と電子文書のバックステージ表示の間の遷移を示すユーザーインターフェースのコンピューター画面表示である。
【図４】[0008]或る実施形態による、編集表示からの遷移の後に電子文書のバックステージ表示を示すユーザーインターフェースのコンピューター画面表示である。
【図５】[0009]或る実施形態による、バックステージ表示内から電子文書の編集表示の先端部を示すユーザーインターフェースのコンピューター画面表示である。
【図６】[0010]或る実施形態による、バックステージ表示に電子文書の編集表示の端部が侵入していることを示すユーザーインターフェースのコンピューター画面表示である。
【図７】[0011]或る実施形態による、バックステージ表示内から電子文書の編集表示のサムネイルを示すユーザーインターフェースのコンピューター画面表示である。
【図８】[0012]或る実施形態による、電子文書の編集表示とバックステージ表示の間で遷移するためのルーチンを示す流れ図である。
【発明を実施するための形態】
【０００６】
[0013]電子文書の編集表示とバックステージ表示の間で遷移するための実施形態が提供される。電子文書の編集表示を含むユーザーインターフェースが、コンピューター上で表示され得る。次に、このコンピューターが、その電子文書の編集表示からバックステージ表示に遷移するための入力を編集表示において受け取ることが可能である。バックステージ表示は、編集表示において表示されるデータに関連するメタ情報を含むことが可能である。次に、電子文書の編集表示からバックステージ表示への遷移が実行され得る。次に、メタ情報を含むバックステージ表示が、ユーザーインターフェース内に表示され得る。
【０００７】
[0014]例示的な動作環境
次に図１を参照すると、以下の説明は、様々な例示的な実施形態が実施され得る適切なコンピューティング環境の簡単な、一般的な説明を与えることを意図している。様々な実施形態が、コンピューター上のオペレーティングシステム上で実行されるプログラムモジュールに関連して実行されるプログラムモジュールの一般的な脈絡で説明されるが、それらの様々な実施形態は、他のタイプのコンピューターシステムおよびプログラムモジュールと組み合わせて実施されることも可能であることが当業者には認識されよう。
【０００８】
[0015]一般に、プログラムモジュールには、特定のタスクを実行する、または特定の抽象データ型を実装するルーチン、プログラム、構成要素、データ構造、および他のタイプの構造が含まれる。さらに、それらの様々な実施形態は、ハンドヘルドデバイス、マルチプロセッサーシステム、マイクロプロセッサーベースの家庭用電子機器もしくはプログラマブル家庭用電子機器、ミニコンピューター、メインフレームコンピューターなどを含む、いくつかのコンピューターシステム構成で実施され得ることが、当業者には理解されよう。また、それらの様々な実施形態は、通信ネットワークを介して結び付けられた複数の遠隔処理デバイスによってタスクが実行される分散コンピューティング環境において実施されることも可能である。分散コンピューティング環境において、プログラムモジュールは、ローカルメモリーストレージデバイスと遠隔メモリーストレージデバイスの両方の中に配置され得る。
【０００９】
[0016]図１は、１つまたは複数のアプリケーションプログラムを実行することができる汎用デスクトップタイプ、ラップトップタイプ、ハンドヘルドタイプ、タブレットタイプ、または他のタイプのコンピューターを含むことが可能なコンピューター２を示す。コンピューター２は、少なくとも１つの中央処理装置８（「ＣＰＵ」）と、ランダムアクセスメモリー１８（「ＲＡＭ」）および読み取り専用メモリー（「ＲＯＭ」）２０を含むシステムメモリー１２と、このメモリーをＣＰＵ８に結合するシステムバス１０とを含む。起動中などに、コンピューター内の要素間で情報を転送するのを助ける基本ルーチンを含む基本入出力システムが、ＲＯＭ２０の中に格納される。コンピューター２は、オペレーティングシステム３２、生産性アプリケーション３４、および電子文書３６を格納するための大容量ストレージデバイス１４をさらに含む。図２〜図８に関連して後段でより詳細に説明されるとおり、生産性アプリケーション３４は、電子文書３６の１つまたは複数に関して編集表示とバックステージ表示の間で遷移するためのユーザーインターフェースを生成するように構成され得る。本明細書で定義される、文書の編集表示は、電子文書の作成および／または編集のために利用され得るユーザーインターフェースの表示を含む。文書のバックステージ表示は、ファイル情報、印刷情報、共有情報、文書テンプレート情報などを含むが、以上には限定されない電子文書の様々な態様を記述するために利用され得るメタ情報を表示するためのユーザーインターフェースを含む。例えば、プレゼンテーション文書に関するバックステージ表示の中で表示されるメタ情報は、その文書が作成された日付、その文書が最後に変更された日付、プレゼンテーションにおけるスライドの総数、バージョン情報、共有情報および共有許可を含むことが可能である。
【００１０】
[0017]或る実施形態によれば、生産性アプリケーション３４は、ワシントン州レドモンド市所在のマイクロソフトコーポレーションからのＷＯＲＤワードプロセッシングソフトウェアと、ＰＯＷＥＲＰＯＩＮＴプレゼンテーショングラフィックスソフトウェアと、ＥＸＣＥＬスプレッドシートソフトウェアと、ＶＩＳＩＯ図表作成ソフトウェアと、ＰＲＯＪＥＣＴプロジェクト管理ソフトウェアと、ＰＵＢＬＩＳＨＥＲパブリッシングソフトウェアと、ＯＵＴＬＯＯＫパーソナル情報管理ソフトウェアと、ＯＮＥＮＯＴＥノート作成ソフトウェアとを備えることが可能である。前述した生産性アプリケーション３４は、個々のアプリケーションプログラムを含んでもよく、または代替として、マイクロソフトコーポレーションからのＯＦＦＩＣＥアプリケーションプログラムスイート（application program suite）のような生産性アプリケーションスイートに組み込まれてもよいことを理解されたい。しかし、本明細書で説明される様々な実施形態により、他の製造業者からの他の生産性アプリケーションプログラムが利用されてもよいことを理解されたい。或る実施形態によれば、電子文書３６は、生産性アプリケーション３４によって生成されたユーザーインターフェースによって生成される、またはそのようなユーザーインターフェース内に表示される文書を含むことが可能である。例えば、様々な実施形態によれば、電子文書３６は、制限なしに、ワードプロセッシング文書、プレゼンテーション文書、スプレッドシート文書、図表作成文書、プロジェクト管理文書、パブリッシング文書、パーソナル情報管理文書、およびノート作成文書を含むことが可能である。
【００１１】
[0018]様々な実施形態において、オペレーティングシステム３２は、ワシントン州レドモンド市所在のマイクロソフトコーポレーションからのＷＩＮＤＯＷＳオペレーティングシステムなどの、ネットワーク化されたコンピューターの動作を制御するのに適していることが可能である。大容量ストレージデバイス１４は、バス１０に接続された大容量ストレージコントローラ（図示せず）を介してＣＰＵ８に接続される。大容量ストレージデバイス１４、およびデバイス１４に関連するコンピューター可読媒体は、コンピューター２に不揮発性ストレージをもたらす。本明細書で使用されるコンピューター可読媒体という用語には、コンピューター記憶媒体が含まれ得る。コンピューター記憶媒体には、コンピューター可読命令、データ構造、プログラムモジュール、または他のデータなどの情報を格納するために任意の方法または技術で実装された揮発性媒体および不揮発性媒体、リムーバブルメディアおよび非リムーバブルメディアが含まれ得る。コンピューター記憶媒体には、ＲＡＭ、ＲＯＭ、電気的に消去可能な読み取り専用メモリー（ＥＥＰＲＯＭ）、フラッシュメモリーもしくは他のメモリー技術、ＣＤ−ＲＯＭ、デジタルバーサタイルディスク（ＤＶＤ）もしくは他の光ストレージ、磁気カセット、磁気テープ、磁気ディスクストレージもしくは他の磁気ストレージデバイス、または情報を格納するのに使用され得るとともに、コンピューター２によってアクセスされ得る他の任意の媒体が含まれることが可能であるが、以上には限定されない。任意のそのようなコンピューター記憶媒体が、コンピューター２の一部であることが可能である。
【００１２】
[0019]また、本明細書で使用されるコンピューター可読媒体という用語には、通信媒体が含まれることも可能である。通信媒体は、搬送波などの変調されたデータ信号、または他のトランスポート機構におけるコンピューター可読命令、データ構造、プログラムモジュール、または他のデータによって実現され得、さらに任意の情報配信媒体を含む。「変調されたデータ信号」という用語は、信号内に情報を符号化するように１つまたは複数の特性が設定されている、または変更されている信号を表すことが可能である。例として、限定としてではなく、通信媒体には、有線ネットワークまたは直接配線接続などの有線媒体、および音響媒体、無線周波数（ＲＦ）媒体、赤外線媒体、および他のワイヤレス媒体などのワイヤレス媒体が含まれ得る。
【００１３】
[0020]様々な実施形態によれば、コンピューター２は、例えば、ローカルネットワークまたはワイドエリアネットワーク（例えば、インターネット）を含むことが可能なネットワーク４を介して遠隔コンピューターに対する論理接続を使用する、ネットワーク化された環境において動作することが可能である。コンピューター２は、バス１０に接続されたネットワークインターフェースユニット１６を介してネットワーク４に接続され得る。ネットワークインターフェースユニット１６は、他のタイプのネットワークおよび遠隔コンピューティングシステムに接続するのに利用されることも可能であることを理解されたい。また、コンピューター２は、キーボード、マウス、ペン、スタイラス、指、および／または他の手段を含むいくつかの入力タイプからの入力を受け取るため、および処理するための入出力コントローラー２２を含むことも可能である。同様に、入出力コントローラー２２が、ディスプレイデバイス２４、プリンター、または他のタイプの出力デバイスに出力を供給することも可能である。さらに、タッチスクリーンが、入力機構および出力機構の役割をすることが可能である。
【００１４】
[0021]図２は、或る実施形態による、電子文書３６の編集表示４８を示すユーザーインターフェース２００のコンピューター画面表示である。生産性アプリケーション３４によって生成され得るユーザーインターフェース２００は、ツールバー４０と、ファイルボタン４２と、ポインター（例えば、マウスポインター）４４とを含む。或る実施形態によれば、電子文書３６に関するバックステージ表示への遷移は、ポインター４４を使用してファイルボタン４２を選択することによって開始され得る。例えば、ユーザーが、ユーザーインターフェース２００におけるファイルボタン４２をクリックする、またはポイントすることによってバックステージ表示への遷移を開始することが可能である。
【００１５】
[0022]図３は、或る実施形態による、電子文書３６の編集表示４８と電子文書３６のバックステージ表示５０の間の遷移を示すユーザーインターフェース３００のコンピューター画面表示である。図２のユーザーインターフェース２００と同様に、生産性アプリケーション３４によって生成され得るユーザーインターフェース３００は、ツールバー４０と、ファイルボタン４２と、ポインター４４とを含む。また、ユーザーインターフェース３００は、情報タブ６０と、保存タブ６２と、名前を付けて保存タブ６４と、印刷タブ６６と、開くタブ６８と、新規タブ７０と、共有タブ７２と、アカウントタブ７４を含むバックステージタブ６０〜７４とをさらに含む。編集表示４８からバックステージ表示５０への遷移が開始されると、生産性アプリケーション３４は、バックステージタブ６０〜７４が、ファイルボタン４２から「こぼれ出る」ようにして、ユーザーが各タブに関連する機能に即時のアクセスを有し得るようにするように構成され得ることを理解されたい。ユーザーインターフェース３００は、プロパティーメタ情報５２と、許可メタ情報５４と、共有メタ情報５６と、バージョンメタ情報５８とを含むメタ情報をさらに含むことが可能である。ユーザーインターフェース３００において、バックステージ表示５０への遷移は、コンピューター画面表示の側方に外れるように編集表示４８を自動的にスライドさせて、または押しやって、ユーザーに連続的な表面として出現する表面上にバックステージ表示５０が示され得るようにすることによって達せられることが可能である。
【００１６】
[0023]図４は、或る実施形態による、編集表示４８からの遷移の後の電子文書３６のバックステージ表示５０を示すユーザーインターフェース４００のコンピューター画面表示である。生産性アプリケーション３４によって生成され得るユーザーインターフェース４００は、ツールバー４０と、ファイルボタン４２と、ポインター４４と、バックステージタブ６０〜７４と、メタ情報５２〜５８とを含む。この実施形態において、編集表示４８は、コンピューター画面表示を完全に外れて、バックステージ表示５０だけがユーザーに見えるようになるように押しやられていることが理解されよう。
【００１７】
[0024]図５は、或る実施形態による、バックステージ表示８０内から電子文書３６の編集表示４８の先端部を示すユーザーインターフェース５００のコンピューター画面表示である。生産性アプリケーション３４によって生成され得るユーザーインターフェース５００は、ツールバー４０と、ファイルボタン４２と、ポインター４４と、バックステージタブ６０〜７４とを含む。この実施形態において、ポインター４４が、ニュースレターテンプレート８６などのニュースレター、チラシ、およびデータシートの作成に関するテンプレートメタ情報の表示を開始する新規バックステージタブ７０を選択するのに使用されていることを理解されたい。この実施形態において、編集表示４８の一部分は、バックステージ表示８０に遷移した後でさえ、維持され得ることをさらに理解されたい。詳細には、生産性アプリケーション３４が、電子文書３６の編集表示４８の端部がバックステージ表示８０の側方に「垣間見える」ように出現するようにバックステージ表示８０を表示するように構成され得る。
【００１８】
[0025]図６は、或る実施形態による、バックステージ表示８０に電子文書３６の編集表示４８の端部が侵入していることを示すユーザーインターフェース６００のコンピューター画面表示である。生産性アプリケーション３４によって生成され得るユーザーインターフェース６００は、ツールバー４０と、ファイルボタン４２と、ポインター４４と、バックステージタブ６０〜７４とを含む。この実施形態において、ポインター４４が、編集表示４８の目に見える部分に触れており、電子文書の端部が大きくなって、またはスライドしてバックステージ表示８０の中に入ることをもたらして、ポインター４４が編集表示に触れていなかった場合（例えば、図５のユーザーインターフェース５００内に示される）と比べて、編集表示４８のより大きい部分がユーザーインターフェース６００内で目に見えるようにしていることを理解されたい。この実施形態において、ポインター４４は、編集表示４８に接触すると、電子文書の端部が大きくなって、またはスライドしてバックステージ表示８０の中に入ることをもたらすとともに、編集表示４８から離されると、電子文書の端部が小さくなって、またはスライドして、バックステージ表示８０から消えることをもたらすことが可能であることを理解されたい。
【００１９】
[0026]図７は、或る実施形態による、バックステージ表示５０内から電子文書３６の編集表示のサムネイル８４を示すユーザーインターフェース７００のコンピューター画面表示である。生産性アプリケーション３４によって生成され得るユーザーインターフェース７００は、ツールバー４０と、ファイルボタン４２と、ポインター４４と、バックステージタブ６０〜７４と、メタ情報５２〜５８とを含む。この実施形態において、サムネイル８４は、電子文書３６の編集表示のトリミングされたバージョンとして示される。サムネイル８４は、編集表示からバックステージ表示への遷移中に作成され得ることを理解されたい。詳細には、編集表示からバックステージ表示５０への遷移中、生産性アプリケーション３４は、編集表示が小さくなって、または「ズームアウト」してユーザーインターフェース７００から消えて、遷移に先立つ前の編集表示を示すサムネイル（すなわち、サムネイル８４）を保持しながら、バックステージ表示５０を示すことをもたらすように構成され得る。この実施形態において、生産性アプリケーション３４は、サムネイル８４によって表される編集表示をトリミングして、前の編集表示内に存在した任意のユーザーインターフェース要素（例えば、リボン、ステータスバー、またはフレーム）がサムネイル８４内で示されない（すなわち、隠される）ようにするように構成され得ることをさらに理解されたい。このため、サムネイル８４は、電子文書（例えば、「学校生活プレゼンテーションスライド」）の際立った視覚的態様だけしか示さないことが可能であることが理解され得る。
【００２０】
[0027]図８は、或る実施形態による、電子文書３６の編集表示とバックステージ表示の間で遷移するためのルーチン８００を示す流れ図である。本明細書で提示されるルーチンの説明を読む際、本発明の様々な実施形態の論理動作は、（１）コンピューティングシステム上で実行される一連のコンピューターによって実施される動作もしくはプログラムモジュールとして、さらに／または（２）コンピューティングシステム内の互いに接続されたマシン論理回路もしくは回路モジュールとして実施されることを理解されたい。この実施態様は、本発明を実施するコンピューティングシステムのパフォーマンス要件に依存する選択の問題である。したがって、図８に例示され、さらに本明細書で使用される様々な実施形態を構成する論理動作は、動作、構造デバイス、作用、またはモジュールといった様々な呼ばれ方をする。これらの動作、構造デバイス、作用、およびモジュールは、本明細書で示される特許請求の範囲内に記載される本発明の趣旨および範囲を逸脱することなく、ソフトウェアで、ファームウェアで、専用のデジタルロジックで、さらに以上の任意の組み合わせで実施され得ることが、当業者には認識されよう。
【００２１】
[0028]ルーチン８００は、動作８０５で始まり、ここではコンピューター２上で実行される生産性アプリケーション３４が、電子文書３６の編集表示を示すユーザーインターフェースを表示する。例えば、生産性アプリケーション３４が、図２に関連して前述したユーザーインターフェース２００を生成することが可能である。
【００２２】
[0029]動作８０５から、ルーチン８００は、動作８１０に進み、生産性アプリケーション３４が、電子文書３６の編集表示からバックステージ表示に遷移するための入力を受け取ることが可能である。例えば、図２に関連して前述したとおり、ユーザーが、バックステージ表示への遷移を開始するために、ポインター４４を使用してファイルボタン４２をクリックする、または選択することが可能である。
【００２３】
[0030]動作８１０から、ルーチン８００は、動作８１５に進み、生産性アプリケーション３４が、電子文書３６の編集表示からバックステージ表示に遷移することが可能である。或る実施形態において、図３に関連して前述したとおり、バックステージ表示への遷移は、コンピューター画面表示の側方に外れるように編集表示を自動的にスライドさせて、または押しやって、ユーザーに連続的な表面として出現する表面上にバックステージ表示が示され得るようにすることによって達せられることが可能である。別の実施形態において、図７に関連して前述したとおり、バックステージ表示への遷移は、編集表示を小さくして、または「ズームアウト」してバックステージ表示を示すことによって達せられることが可能である。
【００２４】
[0031]動作８１５から、ルーチン８００は、動作８２０に進み、生産性アプリケーション３４が、メタ情報を含むバックステージ表示をユーザーインターフェース内に表示することが可能である。バックステージ表示メタ情報を示す例示的なユーザーインターフェースが、前述した図３〜図７に示されていることが理解されよう。図７に関連して前述したとおり、この表示されるバックステージ表示は、遷移に先立つ編集表示のサムネイルを含むことが可能である。編集表示のサムネイルは、編集表示の完全サイズのバージョンに関連するいくつかの以前に見ることができたユーザーインターフェース要素（例えば、リボン要素、ステータスバー要素、およびフレーム要素）が、表示されるサムネイル画像からトリミングされ得る。或る実施形態において、図４に関連して前述したとおり、編集表示は、コンピューター画面表示を完全に外れるように押しやられて、バックステージ表示だけがユーザーインターフェース内でユーザーに表示されるようになることが可能である。別の実施形態によれば、図５に関連して前述したとおり、バックステージ表示は、電子文書３６に関する編集表示の先端部がバックステージ表示の側方に「垣間見える」ように出現するように表示され得る。
【００２５】
[0032]動作８２０から、ルーチン８００は、オプションの動作８２５に進み、生産性アプリケーション３４が、現在、表示されているバックステージ表示からの編集表示の先端部とのユーザー対話を検出することが可能である。例えば、図６に関連して前述したとおり、生産性アプリケーション３４が、ポインター（例えば、マウスポインター）が編集表示の先端部に触れると、そのことを検出するように構成され得る。
【００２６】
[0033]オプションの動作８２５から、ルーチン８００は、オプションの動作８３０に進み、オプションの動作８２５で編集表示の先端部とのユーザー対話を検出すると、生産性アプリケーション３４が、バックステージ表示の中に入るように編集表示のさらなる部分をスライドさせることが可能である。例えば、図６に関連して前述したとおり、ポインターが編集表示の先端部に触れていることを検出すると、生産性アプリケーション３４が、編集表示が大きくなって、またはスライドしてバックステージ表示の中に入ることをもたらして、ポインターが編集表示に触れていなかった場合と比べて、編集表示のより大きい部分がユーザーインターフェース内で目に見えるようにするように構成され得る。
【００２７】
[0034]オプションの動作８３０から、ルーチン８００は、オプションの動作８３５に進み、生産性アプリケーション３４が、バックステージ表示内からの編集表示の先端部とのユーザー対話の完了を検出することが可能である。詳細には、生産性アプリケーション３４が、オプションの動作８３０で編集表示のより大きい部分からポインターが離されると、そのことを検出するように構成され得る。
【００２８】
[0035]動作８３５から、ルーチン８００は、オプションの動作８４０に進み、生産性アプリケーション３４が、オプションの動作８３５で編集表示の先端部とのユーザー対話の完了を検出すると、編集表示のさらなる部分（オプションの動作８３０で生成された）をスライドさせて、バックステージ表示から再び消すように構成され得る。詳細には、生産性アプリケーション３４は、編集表示を前の状態（例えば、図５に示される編集表示４８）に戻すように構成され得る。次に、動作８４０から、ルーチン８００は、終了する。
【００２９】
[0036]本発明を様々な例示的な実施形態に関連して説明してきたものの、添付の特許請求の範囲を逸脱することなく、それらの実施形態に様々な変形が行われることが可能であることが理解されよう。したがって、本発明の範囲は、前述の説明によって限定されることは全く意図しておらず、代わりに、添付の特許請求の範囲を参照することによって完全に決定されるものとする。
【図１】
2014517421.tif 000003
【図２】
2014517421.tif 000004
【図３】
2014517421.tif 000005
【図４】
2014517421.tif 000006
【図５】
2014517421.tif 000007
【図６】
2014517421.tif 000008
【図７】
2014517421.tif 000009
【図８】
2014517421.tif 000010
【国際調査報告】
2014517421.tif 000011
2014517421.tif 000012